(57)【要約】【課題】ファンモータの取り付けが行い易い空気調和機の室外機を提供する。【解決手段】空気調和機の室外機は、送風ファンと、ファンモータ７とファンモータ台６とを備える。ファンモータ７は、円筒形状の底部７１を有し、送風ファンを駆動する。ファンモータ台６は、第１円弧部６５と第２円弧部６６とを有する。第１円弧部６５と第２円弧部６６とは、ファンモータ７の底部７１の外周面に沿うように当接可能な円弧形状の部分である。ファンモータ台６には、第１円弧部６５と第２円弧部６６とに当接した状態のファンモータ７が固定される。そして、ファンモータ７は、ファンモータ台６に係止する突起７６を有し、突起７６がファンモータ台７に係止するまで底部７１を第１円弧部６５と第２円弧部６６とに沿わせて回転させることで、ファンモータ７がファンモータ台６に固定される位置に位置決めされる。【選択図】        図８
2004211972.tif 000002
【特許請求の範囲】
【請求項１】
送風ファン（８）と、
少なくとも一部に円筒部分（７１）を有し、前記送風ファン（８）を駆動するファンモータ（７）と、
前記円筒部分（７１）の外周面に沿うように当接可能な円弧形状の円弧部（６５，６６）を有し、前記円弧部（６５，６６）に当接した状態の前記ファンモータ（７）が固定されるファンモータ台（６）と、
を備え、
前記ファンモータ（７）は、前記ファンモータ台（６）に係止する係止部（７６）を有し、前記係止部（７６）が前記ファンモータ台（７）に係止するまで前記円筒部分（７１）を前記円弧部（６５，６６）に沿わせて回転させることで、前記ファンモータ（７）が前記ファンモータ台（６）に固定される位置に位置決めされる、
空気調和機（１）の室外機（３）。
【請求項２】
前記ファンモータ（７）が前記ファンモータ台（６）に取り付けられた状態において、前記円筒部分（７１）の外周面と前記円弧部（６５，６６）との隙間（Ｄ３）が２ｍｍ以下である、
請求項１に記載の空気調和機（１）の室外機（３）。
【請求項３】
前記ファンモータ台（６）は、対向するように設けられた第１円弧部（６５）と第２円弧部（６６）とを有する、
請求項１または２に記載の空気調和機（１）の室外機（３）。
【請求項４】
前記ファンモータ台（６）は、別体に形成され所定間隔（Ｄ１）を隔てて配置された棒状の第１支持部材（６１）と第２支持部材（６２）とを有し、
前記第１円弧部（６５）は、前記第１支持部材（６１）に設けられ、
前記第２円弧部（６６）は、前記第２支持部材（６２）に設けられる、
請求項３に記載の空気調和機（１）の室外機（３）。
【請求項５】
前記第１円弧部（６５）と前記第２円弧部（６６）とは、前記第１支持部材（６１）と前記第２支持部材（６２）とに直接設けられる、
請求項４に記載の空気調和機（１）の室外機（３）。
【請求項６】
前記第１支持部材（６１）と前記第２支持部材（６２）とは、前記送風ファン（８）による空気流れと垂直な方向の寸法よりも前記空気流れの方向の寸法の方が長い断面形状をそれぞれ有する、
請求項４または５に記載の空気調和機（１）の室外機（３）。
【請求項７】
前記ファンモータ台（６）と前記ファンモータ（７）とには、それぞれボルトが挿入される孔（６７ａ−６７ｄ，７５ａ−７５ｄ）が設けられており、
前記係止部（７６）は、前記ファンモータ台（６）に係止した状態において、前記ファンモータ台（６）の孔（６７ａ−６７ｄ）と前記ファンモータ（７）の孔（７５ａ−７５ｄ）とが一致するように設けられる、
請求項１から６のいずれかに記載の空気調和機（１）の室外機（３）。
【発明の詳細な説明】
【０００１】
【発明の属する技術分野】
本発明は空気調和機の室外機、特にファンモータ台を備える空気調和機の室内機に関する。
【０００２】
【従来の技術】
空気調和機の室外機としては、送風ファンと、送風ファンを駆動するファンモータとを備えるものがよく利用されている。このファンモータは、ファンモータが固定されるファンモータ台を介して室外機内に取り付けられることが多い（特許文献１参照）。
【０００３】
このような空気調和機の室外機は、例えば、図１０に示すようなものがよく利用されている。この室外機９は、熱交換器９１とファンモータ台９２とファンモータ９３と送風ファン９４とを備えている。熱交換器９１は、室外機９内部の背面側に設けられ、その前方に、ファンモータ台９２が取り付けられている。そして、ファンモータ台９２にはファンモータ９３が取り付けられ、ファンモータ９３の回転軸に送風ファン９４が取り付けられている。この空気調和機の室外機９では、ファンモータ台９２に取り付けられたファンモータ９３が送風ファン９４を駆動することにより、室外機９内に取り入れられ熱交換器９１を通る空気の流れが生成される。
【０００４】
そして、従来、空気調和機の室外機は、図１１に示すようなファンモータ台９２を備えることが多い。このファンモータ台９２は、間隔を隔てて設けられる２本の支柱状の部材９５，９６と、この支柱状部材９５，９６の間に亘って設けられた板状部材９７とによって構成されている。板状部材９７の中央付近には、ファンモータ９３の円筒状の底部が挿入される概ね円形の孔９８が設けられており、この孔９８の周囲にはファンモータ９３を固定するためのボルトが挿通される孔９９ａ−９９ｄが設けられている。ファンモータ９３の取付時には、図１０のように、ファンモータ９３の底部を円形の孔９８に挿入されることによって位置決めが行われ、ファンモータ９３側の孔とファンモータ台の孔とにボルトＢが挿入されてファンモータとファンモータ台とが固定される。
【０００５】
【特許文献１】
特開２００１−１６５４７３号公報（第３頁
【００１２】および第２図）
【０００６】
【発明が解決しようとする課題】
しかし、上記のようなファンモータ台を備える空気調和機の室外機では、ファンモータの取り付けが行い難い場合がある。すなわち、上記のようなファンモータ台では、ファンモータの底部がファンモータ台の円形の孔に挿入されるが、挿入の際にファンモータの底部が孔の縁に引っ掛かり易く、ファンモータの取り付けが行い難いことがある。
【０００７】
また、ファンモータの底部がファンモータ台の孔に挿入された後も、細かなファンモータの位置決めが必要であり、ファンモータの取り付けが行い難いことがある。特に、上記のようにファンモータとファンモータ台とがボルトによって固定される場合には、ファンモータ側の孔とファンモータ台の孔とが一致するように、ファンモータの細かな位置決めがさらに必要となり、ファンモータの取り付けが行い難い。
【０００８】
本発明の課題は、ファンモータの取り付けが行い易い空気調和機の室外機を提供することにある。
【０００９】
【課題を解決するための手段】
請求項１に記載の空気調和機の室外機は、送風ファンと、ファンモータとファンモータ台とを備える。ファンモータは、少なくとも一部に円筒部分を有し、送風ファンを駆動する。ファンモータ台は、円筒部分の外周面に沿うように当接可能な円弧形状の円弧部を有し、円弧部に当接した状態のファンモータが固定される。そして、ファンモータは、ファンモータ台に係止する係止部を有し、係止部がファンモータ台に係止するまで円筒部分を円弧部に沿わせて回転させることで、ファンモータがファンモータ台に固定される位置に位置決めされる。
【００１０】
この空気調和機の室外機では、ファンモータがファンモータ台の円弧部に当接することによってファンモータの位置決めが行われ、ファンモータとファンモータ台とが固定される。そして、ファンモータが当接する円弧部は円弧状の形状となっている。このため、ファンモータの周囲を囲むような円形状の孔にファンモータが挿入される場合と比べて、ファンモータが挿入される際にファンモータが円弧部の周囲に引っ掛かる恐れが少ない。また、係止部がファンモータ台に係止するまで円筒部分を円弧部に沿わせて回転させることで、ファンモータがファンモータ台に固定される位置に位置決めされる。このため、ファンモータのより細かな位置決めを係止部によって容易に行うことができる。従って、この空気調和機の室外機では、ファンモータの取り付けが行い易くなっている。
【００１１】
請求項２に記載の空気調和機の室外機は、請求項１に記載の空気調和機の室外機であって、ファンモータがファンモータ台に取り付けられた状態において、円筒部分の外周面と円弧部との隙間が２ｍｍ以下である。
ファンモータの取り付けの際にファンモータが当接する部分とファンモータとの隙間はできるだけ小さいほうが望ましい。隙間が大きい場合よりも位置決めをより正確に行うことができるからである。しかし、この隙間が小さすぎると、ファンモータの取り付けの際に、ファンモータが当接する部分の周囲にファンモータが引っ掛かり易くなり、ファンモータのファンモータ台への取り付けが行い難くなる。
【００１２】
この空気調和機の室内機では、隙間が２ｍｍ以下であるため、より正確に位置決めを行うことができる。また、この空気調和機の室外機では、ファンモータのファンモータ台への取り付けが行い易くなっているため、上記のように２ｍｍ以下という小さな隙間であっても、ファンモータのファンモータ台への取り付けが行い難くなる恐れが少ない。
【００１３】
請求項３に記載の空気調和機の室外機は、請求項１または２に記載の空気調和機の室内機であって、ファンモータ台は、第１円弧部と第２円弧部とを有する。第１円弧部と第２円弧部とは、対向するように設けられる。
この空気調和機の室外機では、第１円弧部と第２円弧部との間にファンモータを挿入し、第１円弧部と第２円弧部との２つの円弧部でファンモータの円筒部分を両側から挟むことによって位置決めを行うことができる。このため、この空気調和機の室外機では、位置決めの際に、より確実にファンモータを支持することができ、ファンモータの固定が行い易くなる。これにより、この空気調和機の室外機では、ファンモータの取り付けをより行い易くすることができる。
【００１４】
請求項４に記載の空気調和機の室外機は、請求項３に記載の空気調和機の室外機であって、ファンモータ台は、別体に形成され所定間隔を隔てて配置された棒状の第１支持部材と第２支持部材とを有する。そして、第１円弧部は第１支持部材に設けられ、第２円弧部は第２支持部材に設けられる。
この空気調和機の室外機では、第１円弧部が第１支持部材に設けられ、第２円弧部が第２支持部材に設けられる。そして、この第１支持部材と第２支持部材とは棒状の形状となっている。従って、第１支持部材と第２支持部材との間を広げるような力が第１支持部材と第２支持部材とに加えられた場合に、第１支持部材と第２支持部材とがたわみ易くなっている。このため、ファンモータが第１円弧部と第２円弧部との間に挟まれるように挿入される際に、ファンモータと各円弧部との隙間に余裕がない場合であっても第１支持部材と第２支持部材とがたわむことにより、ファンモータの挿入が行い易くなる。このため、この空気調和機の室外機では、ファンモータと各円弧部との隙間が小さい場合であっても、ファンモータの取り付けを容易に行うことができる。
【００１５】
請求項５に記載の空気調和機の室外機は、請求項４に記載の空気調和機の室外機であって、第１円弧部と第２円弧部とは、第１支持部材と第２支持部材とに直接設けられる。
この空気調和機の室外機では、第１円弧部と第２円弧部とは、第１支持部材と第２支持部材とに直接設けられるため、ファンモータ位置決めのための別部品の数の増大が抑えられる。このため、この空気調和機の室外機では、部品点数の増大を抑えることができる。
【００１６】
請求項６に記載の空気調和機の室外機は、請求項４または５に記載の空気調和機の室外機であって、第１支持部材と第２支持部材とは、送風ファンによる空気流れと垂直な方向の寸法よりも空気流れの方向の寸法の方が長い断面形状をそれぞれ有する。
ファンモータ台はファンモータを支持するものであるため、ある程度の強度を有していることが必要である。そして、ファンモータ台の強度を増大させるためには、ファンモータ台の断面寸法を増大させることが考えられる。しかし、空気調和機の室外機の内部には、送風ファンによって空気流が生成されるため、ファンモータ台の断面寸法が増大すると、ファンモータ台が空気の流れと衝突し易くなり、空気流による騒音が大きくなる恐れがある。
【００１７】
しかし、この空気調和機の室外機では、第１支持部材と第２支持部材とは、送風ファンによる空気流れと垂直な方向の寸法よりも空気流れの方向の寸法の方が長い断面形状をそれぞれ有する。このため、第１支持部材と第２支持部材との断面形状が大きくなっても、空気流れの邪魔になることが少ない。これにより、この空気調和機の室外機では、必要な強度を確保しつつ空気流による騒音が増大する恐れを低減することができる。
【００１８】
請求項７に記載の空気調和機の室外機は、請求項１から６のいずれかに記載の空気調和機の室外機であって、ファンモータ台とファンモータとには、それぞれボルトが挿入される孔が設けられており、係止部は、ファンモータ台に係止した状態において、ファンモータ台の孔とファンモータの孔とが一致するように設けられる。
【００１９】
この空気調和機の室外機では、ファンモータとファンモータ台との固定にボルトが用いられる。ボルトでの固定が行われる場合には、ファンモータ側の孔とファンモータ台側の孔とを一致させてこの孔にボルトを挿入することによって、ファンモータとファンモータ台とを固定する。ここで、この空気調和機の室外機では、ファンモータの係止部をファンモータ台に係止させると、ファンモータ台の孔とファンモータの孔とが一致するようになっている。このため、係止部によってファンモータ台の孔とファンモータの孔とを容易に一致させることができる。これにより、この空気調和機の室外機では、ファンモータとファンモータ台との固定を容易に行うことができる。
【００２０】
【発明の実施の形態】
［全体構成］
本発明の一実施形態が採用された空気調和機１の室外機３の外観を図１に示す。空気調和機１は、室内に配置される室内機２と、室外に配置される室外機３とに分かれたセパレート型の空気調和機である。なお、図中では一台の室内機２が室外機３に接続されているが、一台の室外機３に複数台の室内機２が接続されてもよい。
【００２１】
室外機３は、略矩形箱状のケーシング４を有しており、ケーシング４の内部は、仕切り板によって、左右に、通気室ＳＰ１と機械室ＳＰ２との２つの空間に分けられている。左側に位置する通気室ＳＰ１は、熱交換器５を通って熱交換される空気が通る空間である。ケーシング４の前面には、吹出し口４１が設けられており、室外機３の背面から通気室ＳＰ１に吸い込まれた空気が吹出し口４１から排出される。なお、通気室ＳＰ１の背面側は開かれており、通気室ＳＰ１の背面側から室外の空気が通気室ＳＰ１へと取り込まれる。右側に位置する機械室ＳＰ２は、通気室ＳＰ１からある程度隔離された空間となっており、圧縮機や四路切換弁、電装品などが収容されている。
【００２２】
通気室ＳＰ１には、図２に示すように、熱交換器５、ファンモータ台６、ファンモータ７、送風ファン８が配置されている。なお、図２は、室外機３の側面断面の模式図であるが、理解の容易のために、ファンモータ台６、ファンモータ７、送風ファン８については側面図として記載している。
熱交換器５は、空気調和機１の冷媒回路の一部を構成しており、通過する空気との間で熱交換を行う。ファンモータ台６は、熱交換器５の前方に配置されており、下端が室外機３のケーシング４の底板４２の上面に固定されている。ファンモータ７は、ファンモータ台６に支持されており、送風ファン８を回転駆動する。また、ファンモータ７の底部７１は、円筒形の形状を有している。ファンモータ７は、中心軸が室外機３の正面および背面に垂直な方向（以下、「軸方向」という。）を向くように配置されている。送風ファン８は、複数の羽を有するプロペラファンであり、ファンモータ台６およびファンモータ７の前方に位置している。送風ファン８は、ファンモータ７の回転軸７２に固定されており、ファンモータ７によって回転駆動されることにより、空気の流れを生成する。送風ファン８によって生成される空気の流れは、外部から室外機３の背面側を通って室外機３内に取り込まれ、熱交換器５を通り、前面の吹出し口４１から外部へと吹き出す空気の流れである。
【００２３】
［ファンモータ台の構成］
ファンモータ台６の正面図を図３に示す。ファンモータ台６は、第１支持部材６１、第２支持部材６２、上固定部材６３、下固定部材６４とにより構成されている。
第１支持部材６１と第２支持部材６２とは、別体に形成された上下に長細い棒状の部材であり、所定間隔Ｄ１を隔てて配置されている。この間隔Ｄ１は、ファンモータ７の底部７１の直径Φ１（図６参照）よりも、やや小さい寸法となっている。第１支持部材６１と第２支持部材６２とには、第１円弧部６５および第２円弧部６６と４つの孔６７ａ−６７ｄとが設けられている。
【００２４】
第１円弧部６５と第２円弧部６６とは、第１支持部材６１と第２支持部材６２との上下方向の中央付近に、それぞれ設けられている。また、第１円弧部６５と第２円弧部６６とは、第１支持部材６１と第２支持部材６２との内側に凹状に設けられており、第１円弧部６５と第２円弧部６６との位置および形状は対称となっている。第１支持部材６１に設けられている第１円弧部６５は、ファンモータ７の底部７１の外周面の一部に沿うように当接可能な円弧形状を有する部分であり、第１支持部材６１に直接設けられている。この第１円弧部６５と第２円弧部６６との円弧部分を合わせた長さは、ファンモータ７の底部７１の外周長さよりも小さくなっており、具体的には約２分の１以下の長さとなっている。すなわち、それぞれの円弧部６５，６６の円弧部分の長さは、ファンモータ７の底部７１の円周長さの約４分の１以下の長さとなっている。第２支持部材６２に設けられている第２円弧部６６も同様である。第１円弧部６５と第２円弧部６６とは、所定間隔Ｄ２を隔てて対向して配置されており、左右に対称になっている。この所定間隔Ｄ２は、各円弧部６５，６６の最も窪んだ部分の間の距離が、底部７１の直径Φ１よりも少し大きく、具体的には約２ｍｍだけ大きくなるように決められている。第１円弧部６５と第２円弧部６６との円弧形状は、第１円弧部６５と第２円弧部６６との間にファンモータ７の底部７１が挿入された状態において、第１円弧部６５と第２円弧部６６とは底部７１の外周面の一部に沿う形状となっている。第１円弧部６５と第２円弧部６６との曲率、第１円弧部６５と第２円弧部６６との間の寸法、上述した第１支持部材６１と第２支持部材６２との間隔Ｄ１等は、ファンモータ７がファンモータ台６に取り付けられた状態においてファンモータ７の底部７１の外周面と各円弧部６５，６６との隙間Ｄ３（図８参照）が約１ｍｍとなるように決定されている。
【００２５】
孔６７ａ−６７ｄは、ボルトが挿入される円形の孔であり、第１支持部材６１と第２支持部材６２とにそれぞれ２つずつ、合計で４つ設けられている。第１支持部材６１に設けられた孔６７ａおよび孔６７ｂは、第１円弧部６５を挟んでそれぞれ上下に設けられており、第１支持部材６１の前面から後面にかけて、軸方向に貫通するように設けられている。第２支持部材６２に設けられた孔６７ｃおよび孔６７ｄも同様にして設けられている。これらの孔６７ａ−６７ｄにボルトが挿入され、ファンモータ７とファンモータ台６が固定される。
【００２６】
また、第１支持部材６１と第２支持部材６２とは、板金から形成されており、図４に示すような断面形状を有している。以下、第１支持部材６１の断面形状について説明するが、第２支持部材６２についても同様である。第１支持部材６１は、第１面６１１、第２面６１２および第３面６１３とを有しており、各部分は薄肉の板状の形状となっている。第１面６１１は室外機３の前面と平行に配置されており、軸方向に垂直になっている。第２面６１２は、第１支持部材６１の内側、すなわちファンモータ７が挿入される側に配置されており、軸方向に平行になっている。第３面６１３は、第１支持部材６１の外側に配置されており、軸方向に平行になっている。第１面６１１、第２面６１２および第３面６１３は、コの字型に組み合わされている。また、第１面６１１の軸方向に垂直な方向の長さと第３面６１３の軸方向の長さとでは、第３面６１３の軸方向の長さの方が長く、約２倍の長さとなっている。この室外機３では、概ね軸方向に平行な空気の流れ（破線矢印参照）が生じるため、第１支持部材６１の断面形状は、送風ファン８による空気流れの方向に長い形状となっている。
【００２７】
上固定部材６３と下固定部材６４とは、第１支持部材６１と第２支持部材６２とに亘って設けられており第１支持部材６１と第２支持部材６２とを固定している。上固定部材６３には、第１支持部材６１の上端と第２支持部材６２の上端が固定される。上固定部材６３は、図５に示すように、ファンモータ台６の後方へと突き出た形状を有しており、ファンモータ７の後方に配置された熱交換器５の上端にこの突き出た部分が係止されることにより、ファンモータ台６の上部が固定される。下固定部材６４には、第１支持部材６１の下端と第２支持部材６２の下端が固定される。下固定部材６４は、室外機３のケーシング４の底板４２に固定される（図２参照）。
【００２８】
［ファンモータの構成］
ファンモータ７の側面図を図６に、正面図を図７に示す。
ファンモータ７は本体部７３、底部７１、舌部７４ａ−７４ｄ、及び回転軸７２を有している。本体部７３は概ね円筒形状を有しており、放射状に配置された複数のフィンを有している。本体部７３の正面視における中心には、回転軸７２が前方へと突出して設けられている。この回転軸７２には上述した送風ファン８が固定される。底部７１は、本体部７３の後方に配置されており上述したように円筒形状を有している。本体部７３と底部７１の境界には、舌部７４ａ−７４ｄが設けられている。舌部７４ａ−７４ｄは、正面視に置いて、回転軸７２を中心に放射状に４つ設けられている。舌部７４ａ−７４ｄは、本体部７３および底部７１の外周面から突出するように設けられており、軸方向に貫通する孔７５ａ−７５ｄがそれぞれ設けられている。
【００２９】
また、図８に示すように、舌部７４ａの後面には、ファンモータ７の後方へと突出する小さな突起７６が設けられている。この突起７６は、突起７６が第１支持部材６１の内側に係止した状態で、ファンモータ台６の孔６７ａ−６７ｄとファンモータ７の舌部７４ａ−７４ｄの孔７５ａ−７５ｄとの位置がそれぞれ一致するように配置されている。なお、図８は、ファンモータ台６とファンモータ７とを背面側から見た図である。
【００３０】
［ファンモータのファンモータ台への取り付け］
次に、ファンモータ７のファンモータ台６への取り付けについて説明する。
まず、ファンモータ７の底部７１をファンモータ台６の第１円弧部６５と第２円弧部６６との間に挿入する。第１円弧部６５と第２円弧部６６とは、底部７１の外周面の一部に沿った形状となっているため、底部７１が第１円弧部６５と第２円弧部６６とに当接するようにファンモータ７が挿入される。これによって、ファンモータ７の位置決めが行われる。なお、この状態では、図９に示すように、ファンモータ台６の第１支持部材６１と第２支持部材６２とに設けられた孔６７ａ−６７ｄと、ファンモータ７の舌部７４ａ−７４ｄに設けられた孔７５ａ−７５ｄとの位置は、それぞれ一致していなくてもよい。
【００３１】
次に、ファンモータ７を回転軸７２周りに回転させる（白抜き矢印Ａ１参照）。上述したように、ファンモータ７の舌部７４ａの後面には突起７６が設けられており、この突起７６が、近接する第１支持部材６１の内側へと近づくように、ファンモータ７を回転させる。なお、ファンモータ７の底部７１は円筒形状を有しており、第１円弧部６５と第２円弧部６６とは円弧状の形状を有しているため、ファンモータ７は第１円弧部６５と第２円弧部６６とに当接した状態で容易に回転することができる。また、突起７６は、第１円弧部６５と第２円弧部との間に挿入された状態のファンモータ７が回転軸７２周りに回転することにより第１支持部材６１に係止するような位置に配置されている。これにより、突起７６が回転移動して近接する第１支持部材６１の内側へと近づくと（実線矢印Ａ２参照）、これに伴って、舌部７４ａの孔７５ａが回転移動して第１支持部材６１の孔６７ａへと近づく（実線矢印Ａ３参照）。
【００３２】
ファンモータ７をさらに回転させて、突起７６が近接する第１支持部材６１の内側に係止した状態となると、図８にように、舌部７４ａの孔７５ａと第１支持部材６１の孔６７ａとの位置が一致し、これに伴って舌部７４ｂ−７４ｄの孔７５ｂ−７５ｄと、ファンモータ台側の他の孔６７ｂ−６７ｄの位置もそれぞれ一致する。
【００３３】
最後に、一致したファンモータ７側の孔７５ａ−７５ｄと、ファンモータ台６側の孔６７ａとにボルトを通して固定すれば、ファンモータ７がファンモータ台６に固定される。
［特徴］
（１）
従来のファンモータ台のように、ファンモータの周囲を囲むような円形状の孔にファンモータが挿入される場合は、孔の寸法誤差等のために、ファンモータが孔の周囲に引っ掛かかり易く挿入が行い難いことがある。
【００３４】
この空気調和機１の室外機３では、ファンモータ７の取り付けの際に、まずファンモータ７の円筒形の底部７１が、ファンモータ台６の第１円弧部６５と第２円弧部６６との間に挿入される。これにより、ファンモータ７の底部７１の外周面の一部が第１円弧部６５と第２円弧部６６とに当接して、ファンモータ７の固定前の位置決めが行われる。従って、円形状の孔にファンモータが挿入される場合のようにファンモータ７の底部７１の周囲全部が覆われるのではなく、ファンモータ７の底部７１の円周面の一部が覆われるようにファンモータ７の底部７１が挿入される。このため、ファンモータ７を挿入する際に、ファンモータ７が第１円弧部６５や第２円弧部６６の周囲に引っ掛かる恐れが少ない。従って、この空気調和機１の室外機３は、ファンモータ７の取り付けが行い易くなっている。
【００３５】
（２）
この空気調和機１の室内機２では、ファンモータ台６の第１円弧部６５および第２円弧部６６と、ファンモータ７の底部７１の外周面との間の隙間Ｄ３が約１ｍｍとなっている。このため、この空気調和機１の室外機３では、位置決めの際のファンモータ７とファンモータ台６との隙間が小さくなっており、より正確に位置決めを行うことができる。また、この空気調和機１の室外機３では、ファンモータ７のファンモータ台６への取り付けが行い易くなっているため、上記のように隙間Ｄ３が１ｍｍという小さな隙間であっても、ファンモータ７のファンモータ台６への取り付けが行い難くなることが防止されている。
【００３６】
また、第１支持部材６１と第２支持部材６２とは棒状の部材であって、多少たわむことができる。従って、寸法誤差等によって、隙間Ｄ３がゼロになってしまった場合や、ファンモータ７の底部７１の直径Φ１が第１円弧部６５と第２円弧部６６との間の間隔Ｄ２よりも大きくなってしまった場合等でも、第１支持部材６１と第２支持部材６２とが多少たわむことにより、容易にファンモータ７を挿入することができる。
【００３７】
（３）
この空気調和機１の室外機３では、第１円弧部６５と第２円弧部６６とは、第１支持部材６１と第２支持部材６２とに直接設けられている。このため、ファンモータ７位置決めのための別部品が不要である。例えば、図１１に示すような、円形の孔が設けられ第１支持部材９５と第２支持部材９６との間に亘って取り付けられる別体の板材９７などが不要となる。このように、空気調和機１の室外機３では、部品点数が削減されている。また、部品点数の削減によりコストが低減している。
【００３８】
（４）
この空気調和機１の室外機３では、以下のようにして、ファンモータ７のファンモータ台６への取り付けが行われる。まず、ファンモータ７がファンモータ台６の第１円弧部６５と第２円弧部６６と間に挿入され、ファンモータ７の底部７１が第１円弧部６５と第２円弧部６６とに当接することによって位置決めが行われる。そして、突起７６が第１支持部材６１の内側に係止するまで、ファンモータ７が回転させられる。突起７６が第１支持部材６１の内側に係止すると、ファンモータ７の舌部７４ａの孔７５ａとファンモータ台６の孔６７ａとが対向した状態となっている。そして、ファンモータ７の孔７５ａ−７５ｄとファンモータ台６の孔６７ａ−６７ｄとにボルトが通されてファンモータ７とファンモータ台６とが固定される。このように、この空気調和機１の室外機３では、突起７６によって、ボルトが通される孔の位置決めが容易に行われる。これにより、ファンモータ７のファンモータ台６への固定がさらに容易になっている。
【００３９】
（５）
この空気調和機１の室外機３では、第１支持部材６１と第２支持部材６２とは、送風ファン８による空気流れと垂直な方向よりも空気流れの方向に長い断面形状をそれぞれ有する。このため、第１支持部材６１と第２支持部材６２との断面形状が大きくなり、ある程度の強度が確保されている。また、断面形状が送風ファン８による空気流れと垂直な方向に長くなるようにして強度が確保される場合と比べて、空気流れの邪魔になることが少なく、空気流による騒音が増大する恐れが低減している。
【００４０】
［他の実施形態］
（１）
上記の実施形態では、第１円弧部６５と第２円弧部６６との円弧部分の長さの合計が、底部７１の円周長さの２分の１以下となっているが、底部７１の円周長さよりも短くなっていればよい。すなわち、取り付けの容易さという観点からは、第１円弧部６５と第２円弧部６６との円弧部分がファンモータ７の底部７１の外周面を完全に覆うのではなくその一部を覆うような形状となっていればよい。
【００４１】
（２）
上記の実施形態では、ファンモータ７とファンモータ台６とが４つのボルトによって固定されているが、ファンモータ７の４つの孔７５ａ−７５ｄのうち突起７６が近接している孔７５ａに挿入されるボルトが省略されてもよい。このような場合でも、固定の強さは十分に担保され、またボルトの省略によってコストが低減される。なお、上記の実施形態ではファンモータ７の固定用のボルトが挿入される孔の数は４つであるが、ボルトが挿入される孔の数が増減してもよい。
【００４２】
（３）
上記の実施形態では突起７６は１つだけ設けられているが、１つに限らず複数の突起７６が設けられてもよい。また、ファンモータ台６の一部に係止することによって位置決めが可能であれば、必ずしも突起７６である必要はなく他の形状の係止部が設けられてもよい。
【００４３】
（４）
上記の実施形態ではファンモータ７の底部７１が円筒形状となっているが、底部７１に限らず他の位置が円筒形状であってもよい。
（５）
第１円弧部６５と第２円弧部６６との間隔Ｄ２は、第１円弧部６５および第２円弧部６６とファンモータ７の底部７１の外周面との隙間が１ｍｍとなるように、ファンモータ７の底部７１の直径Φ１よりもわずかに大きいぐらいが望ましい。しかし、上記で述べたように、第１支持部材６１と第２支持部材６２とがたわむことにより寸法の精度が緩和されるため、第１円弧部６５と第２円弧部６６との間隔Ｄ２が底部７１の径と同じ又は底部７１の直径Φ１よりわずかに小さい程度であってもよい。
【００４４】
（６）
上記の実施形態では、第１支持部材６１と第２支持部材６２とは板金から形成されているが、強度が確保されるのであれば板金以外の材料から形成されてもよい。
（７）
上記の実施形態では、ファンモータ台６に孔６７ａ−６７ｄが設けられ、ファンモータ７に孔７５ａ−７５ｄが設けられており、ボルトによってファンモータ台６とファンモータ７とが固定されているが、ボルト以外の固定手段が用いられてもよい。例えば、螺子止め、溶接、嵌め合い等によって、ファンモータ台６とファンモータ７とが固定されてもよく、この場合も、ファンモータが固定される固定位置の位置決めのために突起７６を設けることは有効である。
【００４５】
【発明の効果】
請求項１に記載の空気調和機の室外機では、ファンモータがファンモータ台の円弧部に当接することによってファンモータの位置決めが行われ、ファンモータとファンモータ台とが固定される。そして、ファンモータが当接する円弧部は円弧状の形状となっている。このため、ファンモータの周囲を囲むような円形状の孔にファンモータが挿入される場合と比べて、ファンモータが挿入される際にファンモータが円弧部の周囲に引っ掛かる恐れが少ない。また、係止部がファンモータ台に係止するまで円筒部分を円弧部に沿わせて回転させることで、ファンモータがファンモータ台に固定される位置に位置決めされる。このため、ファンモータのより細かな位置決めを係止部によって容易に行うことができる。従って、この空気調和機の室外機では、ファンモータの取り付けが行い易くなっている。
【００４６】
請求項２に記載の空気調和機の室外機では、隙間が２ｍｍ以下であるため、より正確に位置決めを行うことができる。また、この空気調和機の室外機では、ファンモータのファンモータ台への取り付けが行い易くなっているため、上記のように２ｍｍ以下という小さな隙間であっても、ファンモータのファンモータ台への取り付けが行い難くなる恐れが少ない。
【００４７】
請求項３に記載の空気調和機の室外機では、第１円弧部と第２円弧部との間にファンモータを挿入し、第１円弧部と第２円弧部との２つの円弧部でファンモータの円筒部分を両側から挟むことによって位置決めを行うことができる。このため、この空気調和機の室外機では、位置決めの際に、より確実にファンモータを支持することができ、ファンモータの固定が行い易くなる。これにより、この空気調和機の室外機では、ファンモータの取り付けをより行い易くすることができる。
【００４８】
請求項４に記載の空気調和機の室外機では、第１円弧部が第１支持部材に設けられ、第２円弧部が第２支持部材に設けられる。そして、この第１支持部材と第２支持部材とは棒状の形状となっている。従って、第１支持部材と第２支持部材との間を広げるような力が第１支持部材と第２支持部材とに加えられた場合に、第１支持部材と第２支持部材とがたわみ易くなっている。このため、ファンモータが第１円弧部と第２円弧部との間に挟まれるように挿入される際に、ファンモータと各円弧部との隙間に余裕がない場合であっても第１支持部材と第２支持部材とがたわむことにより、ファンモータの挿入が行い易くなる。このため、この空気調和機の室外機では、ファンモータと各円弧部との隙間が小さい場合であっても、ファンモータの取り付けを容易に行うことができる。
【００４９】
請求項５に記載の空気調和機の室外機では、第１円弧部と第２円弧部とは、第１支持部材と第２支持部材とに直接設けられるため、ファンモータ位置決めのための別部品の数の増大が抑えられる。このため、この空気調和機の室外機では、部品点数の増大を抑えることができる。
請求項６に記載の空気調和機の室外機では、第１支持部材と第２支持部材とは、送風ファンによる空気流れと垂直な方向の寸法よりも空気流れの方向の寸法の方が長い断面形状をそれぞれ有する。このため、第１支持部材と第２支持部材との断面形状が大きくなっても、空気流れの邪魔になることが少ない。これにより、この空気調和機の室外機では、必要な強度を確保しつつ空気流による騒音が増大する恐れを低減することができる。
【００５０】
請求項７に記載の空気調和機の室外機では、ファンモータとファンモータ台との固定にボルトが用いられる。ボルトでの固定が行われる場合には、ファンモータ側の孔とファンモータ台側の孔とを一致させてこの孔にボルトを挿入することによって、ファンモータとファンモータ台とを固定する。ここで、この空気調和機の室外機では、ファンモータの係止部をファンモータ台に係止させると、ファンモータ台の孔とファンモータの孔とが一致するようになっている。このため、係止部によってファンモータ台の孔とファンモータの孔とを容易に一致させることができる。これにより、この空気調和機の室外機では、ファンモータとファンモータ台との固定を容易に行うことができる。
【図面の簡単な説明】
【図１】空気調和機の外観図。
【図２】室外機の側面断面図。
【図３】ファンモータ台の正面図。
【図４】ファンモータ台の断面図。
【図５】ファンモータ台の側面図。
【図６】ファンモータの側面図。
【図７】ファンモータの正面図。
【図８】ファンモータとファンモータ台との背面視における取付図。
【図９】ファンモータとファンモータ台との背面視における取付図。
【図１０】従来の空気調和機の室外機の側面断面図。
【図１１】従来の空気調和機の室外機のファンモータ台の正面図。
【符号の説明】
１                空気調和機
３                室外機
６                ファンモータ台
７                ファンモータ
８                送風ファン
６１              第１支持部材
６２              第２支持部材
６５              第１円弧部（円弧部）
６６              第２円弧部（円弧部）
６７ａ−６７ｄ    ファンモータ台の孔
７１              底部（円筒部分）
７２              回転軸
７５ａ−７５ｄ    ファンモータの孔
７６              突起（係止部）
【図１】
2004211972.tif 000003
【図２】
2004211972.tif 000004
【図３】
2004211972.tif 000005
【図４】
2004211972.tif 000006
【図５】
2004211972.tif 000007
【図６】
2004211972.tif 000008
【図７】
2004211972.tif 000009
【図８】
2004211972.tif 000010
【図９】
2004211972.tif 000011
【図１０】
2004211972.tif 000012
【図１１】
2004211972.tif 000013